(57)【要約】【課題】棚板を強固に取付けできると共に取外しが容易にでき、部品点数が少なくて済む棚を提供する。【解決手段】棚板１３と、壁に取付ける左右の棚板受け具１５と、棚板押え具１７とを備え、棚板受け具１５は、棚板１３の端部を載置する棚板載置面２４と、棚板端部２７の見込み面１３ｃ、室内側見付け面１３ｄ及び室外側見付け面１３ｅに対向する壁部２５とを有し、壁部２５は棚板端部上面２７ａよりも上の位置に係合部２９を有し、棚板押え具１７は棚板端部２７の上方に位置して棚板受け具１５の係合部２９に係合している。【選択図】図１
2011194211.tif 000002
【特許請求の範囲】
【請求項１】
棚板と、壁に取付ける左右の棚板受け具と、棚板押え具とを備え、棚板受け具は、棚板の端部を載置する棚板載置面と、棚板端部の見込み面、室内側見付け面及び室外側見付け面に対向する壁部とを有し、壁部は棚板端部上面よりも上の位置に係合部を有し、棚板押え具は棚板端部の上方に位置して棚板受け具の係合部に係合していることを特徴とする棚。
【請求項２】
棚板と、壁に取付ける左右の棚板受け具と、棚板押え具とを備え、棚板は上面の室内側端と室外側端とに各々見付け方向に設けた立上がり部を有する落下防止付き棚板であり、棚板受け具は、棚板の端部を載置する棚板載置面と、棚板端部の見込み面、室内側見付け面及び室外側見付け面に対向する壁部とを有し、壁部は棚板端部上面よりも上の位置に係合部を有し、押え具は棚板端部の上方に位置して且つ棚板の立上がり部を避けて棚板受け具の係合部に係合していることを特徴とする棚。
【請求項３】
棚板には、上面が平坦な平板状棚板と、上面の室内側端と室外側端とに各々見付け方向に設けた立上がり部を有する落下防止付き棚板とがあり、平板状棚板と落下防止付き棚板とは任意に選択自在であり、落下防止付き棚板を取付ける場合には、平板状棚板を取付けるときよりも棚板押え具の見込み寸法を短くして棚板の立上がり部を避けて棚板押え具を棚板受け具の係合部に係合していることを特徴とする請求項１に記載の棚。
【請求項４】
棚板押え具は、見込み方向の端部を切除可能に設けた切除案内部を有し、棚板として落下防止付き棚板を用いる場合には、切除案内部から見込み方向端部を切除することにより見込み寸法を短くすることを特徴とする請求項２又は３に記載の棚。
【請求項５】
落下防止付き棚板は、室内側立ち上がり部と室外側立ち上がり部との各々に、互いに対向する面に溝を有し、棚板押え具は見込み方向両端を各々立ち上がり部の溝にも係合していることを特徴とする請求項２〜４のいずれか一項に記載の棚。
【請求項６】
（追加）
棚板と、壁に取付ける左右の棚板受け具とを備え、棚板受け具は、棚板の端部を載置する棚板載置面と、棚板端部の見込み面、室内側見付け面及び室外側見付け面に対向する壁部と、棚板押え部とを有し、壁部は棚板押え部との係合部を有し、棚板押え部は棚板端部の上方に位置する棚板押え位置と、棚板押え位置から退避する退避位置との間を移動自在であり、棚板押え位置にあるときに壁部の係合部に係合していることを特徴とする棚。
【請求項７】
（原請求項６）
棚板受け具の棚板載置面と棚板底面の間又は棚板受け具の壁部と棚板見付け面の間と、棚板押え具又は棚板押え部と棚板上面の間と、棚板受け具の壁部と棚板見込み端面の間とに導水用隙間を有し、棚板上面の水が棚板受け具の下に落下するようにしてあることを特徴とする請求項１〜６のいずれか一項に記載の棚。
【発明の詳細な説明】
【技術分野】
【０００１】
本発明は、壁に取付ける棚に関する。
【背景技術】
【０００２】
特許文献１には、棚板受け具が棚板の端部を載置する棚板載置面と、棚板端部の見込み面に対面する見込み壁部とを備え、棚板押え具は棚板端部の上方に位置して棚板受け具の係合部に係合してあり、棚板受け具の室内側見付け面をカバーで覆うことが開示されている。
一方、近年多様なライフスタイルの登場により、窓周りを自由にコーディネイトできると共にキッチン等の水回りでの使用を可能にした棚が望まれている。窓周りのコーディネイトとしては、例えば、窓の室内側に棚を取付けて、棚に簡易植物を陳列したいという要求や、窓の室内側に棚を取付けたいが採光性に優れた棚にしたいという要求がある。キッチン等での使用では、炊事をしているときに、棚板に跳ねた水や棚上の簡易植物に水を差さすときにこぼれた水を布巾等で一拭きできたり、棚板の乾燥を促進したいという要求がある。
【先行技術文献】
【特許文献】
【０００３】
【特許文献１】特開２００１−２９２８４６号公報
【発明の概要】
【発明が解決しようとする課題】
【０００４】
しかし、特許文献１の棚では、棚板受け具には、棚板端部の見込み面に対向する見込み壁部のみが設けてあり、棚板押え具で棚板の上方への移動を阻止しているだけなので、例えば、特許文献１の棚を窓の額縁に取付けた場合、窓の開閉時に腕や体が棚板に強く当たったときに、棚板が見込み方向にずれて棚板に載置した簡易植物等が落下したり、甚だしい場合には棚板が窓ガラスに当たるおそれがある。特に、特許文献１の棚では、棚板受け具の見付け面に取付けているカバーは、棚板受け具に室内側から見込み方向にスライド挿入しているだけであるから、室内側へ向けて棚板を移動する力が作用した場合には、カバーが外れて棚板が室内側へ向けてずれてしまう。
一方、カバーや棚板を棚板受け具にねじ等により強固に固定したのでは、棚板を清掃する時等に棚板を外し難いという問題がある。
また、特許文献１の技術では、棚板受け具とは別に棚板端部を隠すカバーを設けているので、部品点数が多くなるという問題がある。
【０００５】
そこで、本発明は、棚板を強固に取付けできると共に取外しが容易にでき、部品点数が少なくて済む棚の提供を目的とする。
【課題を解決するための手段】
【０００６】
請求項１に記載の発明は、棚板と、壁に取付ける左右の棚板受け具と、棚板押え具とを備え、棚板受け具は、棚板の端部を載置する棚板載置面と、棚板端部の見込み面、室内側見付け面及び室外側見付け面に対向する壁部とを有し、壁部は棚板端部上面よりも上の位置に係合部を有し、棚板押え具は棚板端部の上方に位置して棚板受け具の係合部に係合していることを特徴とする。
尚、棚板受け具を取付ける壁は、家屋の内壁や窓の額縁等である。
【０００７】
請求項２に記載の発明は、棚板と、壁に取付ける左右の棚板受け具と、棚板押え具とを備え、棚板は上面の室内側端と室外側端とに各々見付け方向に設けた立上がり部を有する落下防止付き棚板であり、棚板受け具は、棚板の端部を載置する棚板載置面と、棚板端部の見込み面、室内側見付け面及び室外側見付け面に対向する壁部とを有し、壁部は棚板端部上面よりも上の位置に係合部を有し、押え具は棚板端部の上方に位置して且つ棚板の立上がり部を避けて棚板受け具の係合部に係合していることを特徴とする。
【０００８】
請求項３に記載の発明は、請求項１に記載の発明において、棚板には、上面が平坦な平板状棚板と、上面の室内側端と室外側端とに各々見付け方向に設けた立上がり部を有する落下防止付き棚板とがあり、平板状棚板と落下防止付き棚板とは任意に選択自在であり、落下防止付き棚板を取付ける場合には、平板状棚板を取付けるときよりも棚板押え具の見込み寸法を短くして棚板の立上がり部を避けて棚板押え具を棚板受け具の係合部に係合していることを特徴とする。
【０００９】
請求項４に記載の発明は、請求項２又は３に記載の発明において、棚板押え具は、見込み方向の端部を切除可能に設けた切除案内部を有し、棚板として落下防止付き棚板を用いる場合には、切除案内部から見込み方向端部を切除することにより見込み寸法を短くすることを特徴とする。
切除案内部は、カッター等による切り取りや指による折り取り等のいずれの方法によるものでも良く、切除する方法を限定するものではない。
【００１０】
請求項５に記載の発明は、請求項２〜４のいずれか一項に記載の発明において、落下防止付き棚板は、室内側立ち上がり部と室外側立ち上がり部との各々に、互いに対向する面に溝を有し、棚板押え具は見込み方向両端を各々立ち上がり部の溝にも係合していることを特徴とする。
【００１１】
請求項６に記載の発明は、棚板と、壁に取付ける左右の棚板受け具とを備え、棚板受け具は、棚板の端部を載置する棚板載置面と、棚板端部の見込み面、室内側見付け面及び室外側見付け面に対向する壁部と、棚板押え部とを有し、壁部は棚板押え部との係合部を有し、棚板押え部は棚板端部の上方に位置する棚板押え位置と、棚板押え位置から退避する退避位置との間を移動自在であり、棚板押え位置にあるときに壁部の係合部に係合していることを特徴とする。
【００１２】
請求項７に記載の発明は、請求項１〜６のいずれか一項に記載の発明において、棚板受け具の棚板載置面と棚板底面の間又は棚板受け具の壁部と棚板見付け面の間と、棚板押え具又は棚板押え部と棚板上面の間と、棚板受け具の壁部と棚板見込み端面の間とに導水用隙間を有し、棚板上面の水が棚板受け具の下に落下するようにしてあることを特徴とする。
【発明の効果】
【００１３】
請求項１に記載の発明によれば、棚板押え具は棚板端部の上方に位置して棚板が上方へ移動することを阻止すると共に、棚板受け具の壁部は、棚板端部の室内側見付け面と室外側見付け面とに対向することにより棚板の見込み方向への移動を阻止し、棚板端部の見込み面に対向することにより見付け方向の移動を阻止する。したがって、棚を窓の室内側に取付けた場合でも、窓の開閉時に腕や体が棚板に強く当たったときに見込み方向、見付け方向及び上下方向の３方向に棚板が移動しないように、強固に取付けできる。
棚板の取り外しは、棚板押え具を棚板受け具の係合部から外すだけで、棚板を棚板受け具から外すことができ、棚板の取付けは、棚板を棚板受け具の棚板載置面に載置して棚板押え具を棚板受け具の係合部に係合するだけであるから、棚板の取り外し及び取り付けが容易にできる。
棚板の取り付け及び取り外しが容易であるから、棚を窓の室内側に取付けた場合における窓や網戸の掃除やメンテナンス等のときに随時棚板を外すことができる。また、棚板が汚れたときにも随時棚板を外して洗うことができる。
棚板受け具の壁部は棚板端部の見込み面、室内側見付け面及び室外側見付け面に対向しているので、特許文献１にあるような室内側見付け面を覆うカバーを別に設ける必要がないので、部品点数を少なくできる。
【００１４】
請求項２に記載の発明によれば、棚板押え具は棚板端部の上方に位置して棚板が上方へ移動することを阻止すると共に、棚板受け具の壁部は、棚板端部の室内側見付け面と室外側見付け面とに対向することにより棚板の見込み方向への移動を阻止し、棚板端部の見込み面に対向することにより見付け方向の移動を阻止する。したがって、棚を窓の室内側に取付けた場合でも、窓の開閉時に腕や体が棚板に強く当たったときに見込み方向、見付け方向及び上下方向の３方向に棚板が移動しないように、強固に取付けできる。
棚板の取り外しは、棚板押え具を棚板受け具の係合部から外すだけで、棚板を棚板受け具から外すことができ、棚板の取付けは、棚板を棚板受け具の棚板載置面に載置して棚板押え具を係合部に係合するだけであるから、棚板の取り外し及び取り付けが容易である。
棚板受け具の壁部は棚板端部の見込み面、室内側見付け面及び室外側見付け面に対向しているので、特許文献１にあるような室内側見付け面を覆うカバーを別に設ける必要がないので、部品点数を少なくできる。
落下防止付き棚板は、室内側見付け面と室外側見付け面とに立ち上がり部を有しているので、棚板に載置した物が室内側や室外側へ滑り落ちたり、花瓶からこぼれた水を堰き止めて棚板から室内側や室外側へ流れ落ちるのを防止できる。
【００１５】
請求項３に記載の発明によれば、請求項１に記載の発明と同様の効果を得ることができると共に、平板状棚板や落下防止付き棚板を選択して任意に取付けできるので、ライフスタイル等に応じたコーディネイトの自由度が高い。
落下防止付き棚板を用いた場合には、室内側見付け面と室外側見付け面とに立ち上がり部を有しているので、棚板に載置した物が室内側や室外側へ滑り落ちたり、花瓶からこぼれた水を堰き止めて棚板から室内側や室外側へ流れ落ちるのを防止できる。
また、平板状棚板として、例えばガラス板を用いることにより採光を図ることができる。
【００１６】
請求項４に記載の発明によれば、請求項２又は３に記載の発明と同様の効果を得ることができると共に、棚板押え具の見込み寸法を簡易な構成で容易に短くできるので、棚板として落下防止付き棚板を用いる場合に、立ち上がり部が邪魔にならずに棚板押え具を取付けできる。
【００１７】
請求項５に記載の発明によれば、請求項２〜４のいずれか一項に記載の発明と同様の効果を得ることができると共に、落下防止付き棚板を更に強固に固定できる。
【００１８】
請求項６に記載の発明によれば、棚板押え部が棚板押え位置にあるときには、棚板端部の上方に位置して棚板が上方へ移動することを阻止すると共に、棚板受け具の壁部は、棚板端部の室内側見付け面と室外側見付け面とに対向することにより棚板の見込み方向への移動を阻止し、棚板端部の見込み面に対向することにより見付け方向の移動を阻止する。したがって、棚を窓の室内側に取付けた場合でも、窓の開閉時に腕や体が棚板に強く当たったときに見込み方向、見付け方向及び上下方向の３方向に棚板が移動しないように、強固に取付けできる。
棚板の取り外しは、棚板受け具において棚板押え部を壁部の係合部から外して退避位置へ移動するだけで、棚板を棚板受け具から外すことができ、棚板の取付けは、棚板を棚板受け具の棚板載置面に載置して、棚板押え部を退避位置から棚板押え位置へ移動して壁部の係合部に係合するだけであるから、棚板の取り外し及び取り付けが容易にできる。
棚板の取り付け及び取り外しが容易であるから、棚を窓の室内側に取付けた場合における窓や網戸の掃除やメンテナンス等のときに随時棚板を外すことができる。また、棚板が汚れたときにも随時棚板を外して洗うことができる。
棚板受け具の壁部は棚板端部の見込み面、室内側見付け面及び室外側見付け面に対向しているので、特許文献１にあるような室内側見付け面を覆うカバーを別に設ける必要がないので、部品点数を少なくできる。
更に、棚板受け具には棚板押え部が一体に設けてあるので、棚板の清掃時等に棚板を外したときに、棚板押え部が紛失したり置き忘れたりするのを防止できる。
【００１９】
請求項７に記載の発明によれば、請求項１〜６のいずれか一項に記載の発明と同様の効果を得ることができると共に、例えば、花瓶から水がこぼれたり、簡易植物に水を差すときに棚板上にこぼれた水を棚板受け具から排水でき、こぼれた水が棚板上に溜まるのを防止できる。
【図面の簡単な説明】
【００２０】
【図１】本発明の第１実施の形態に係る棚において、左側の棚板受け具と、押え具と、左側の棚板部分とを示す分解斜視である。
【図２】棚板受け具の裏側を示す斜視図である。
【図３】第１実施の形態に係る棚板受け具の本体部を示す図であり、（ａ）は正面図、（ｂ）は平面図、（ｃ）は底面図、（ｄ）右側面図、（ｅ）は背面図、（ｆ）は（ｂ）に示すＡーＡ断面図、（ｇ）は（ｂ）に示すＢーＢ断面図、（ｈ）は（ｂ）に示すＣーＣ断面図である。
【図４】第１実施の形態に係る棚板押え具の図であり、（ａ）は正面図、（ｂ）は平面図、（ｃ）は底面図、（ｄ）右側面図、（ｅ）は（ｂ）に示すＥーＥ断面図である。
【図５】第１実施の形態に係る棚を取付けた窓の横断面図である。
【図６】第１実施の形態に係る棚を取付けた窓の縦断面図である。
【図７】第１実施の形態に係る棚を取付けた窓を室内側から見た正面図である。
【図８】第１実施の形態に係る棚の他の使用例であり、本実施の形態に係る棚を取付けた窓の縦断面図である。
【図９】図８に示す窓の横断面図である。
【図１０】図８に示す窓を室内側から見た正面図である。
【図１１】（ａ）は図９のＦーＦ断面図であり、（ｂ）は図９のＧーＧ断面図である。
【図１２】本発明の第２実施の形態に係る棚の棚板受け具の斜視図である。
【図１３】（ａ）は図１２に示すＫーＫ断面図であり、（ｂ）は図１２に示すＬーＬ断面図であり、（ｃ）は図１２に示すＭ部の平面図である。
【図１４】図１２に示す棚板受け具において、棚板押え部を除いて示す斜視図である。
【図１５】図１２に示す棚板受け具において、棚板押え部を抜き出して切断して示す斜視図である。
【発明を実施するための形態】
【００２１】
以下に、添付図面を参照して本発明の実施の形態を説明するが、まず添付図面の図１〜図７を参照して本発明の第１実施の形態に係る棚１を、その第１使用例と共に説明する。図５〜図７に示すように、第１実施の形態に係る棚１は、建物の窓３の室内側に設けてあり、窓３の額縁５の左右の内周面５ａに固定されている。本実施の形態では、窓３は外倒し窓であり、窓の下部に設けたハンドル７の操作により障子９の上端が外側に倒れて開くものである。尚、障子９の室内側には網戸１１が設けてある。第１使用例では、窓３の室内側の上下２カ所に棚１を取付けてある。
棚１は、棚板１３と、左右の棚板受け具１５と、各棚板受け具１５に係合する棚板押え具１７とを備えている。左右の棚板受け具１５及び棚板押え具１７は各々構成が同じであるから以下では、左側の棚板受け具１５、左側の棚板押え具１７及び棚板１３の左側端部について説明する。
【００２２】
棚板１３には、落下防止付き棚板１３ａと、上面が平坦な開板状棚板１３ｂ（図８及び図９参照）とがあり、いずれかを選択的に使用するものであり、棚板受け具１５にはいずれも取り付けできるようになっている。
図１〜図７に示す第１使用例では落下防止付き棚板１３ａであり、図１に示すように、上面の室内側端と室外側端とに各々見付け方向に設けた立上がり部１６ａ、１６ｂが設けてある。立ち上がり部１６ａ、１６ｂは互いに対向する面に溝１８が形成してある。落下防止付き棚板１３ａの下面には、室内側と室外側とに各々補強用ホロー部１９が左右方向に沿って設けてある。この落下防止付き棚板１３ａはアルミニウム製の押出形材である。
また、落下防止付き棚板１３ａの上面には、見付け方向に長い突条２０が見込み方向に間隔をあけて複数形成してある。各突条２０の高さは低く、手で触ったときに突出しているのがわかる程度の高さである。
【００２３】
棚板受け具１５は、樹脂製の本体部２１と金属製の補強金具２３とから構成されており、本体部２１は、図１及び図３に示すように、棚板１３の端部を載置する棚板載置面２４と、棚板載置面２４から立設する壁部２５を有しており、壁部２５は見込み壁部２５ａ、室内側見付け壁部２５ｂ、室外側見付け壁部２５ｃとを一体に形成している。
見込み壁部２５ａは棚板端部２７の見込み面１３ｃに対向し、室内側見付け壁部２５ｂは棚板端部２７の室内側見付け面１３ｄに対向し、室外側見付け壁部２５ｃは棚板端部２７の室外側見付け面１３ｅに対向している。
壁部２５には棚板端部２７の上面２７ａよりも上の位置に係合部２９が形成してあり、係合部２９は棚板端部２７側に向けて開口した溝部であり、見込み壁部２５ａ、室内側見付け壁部２５ｂ及び室外側見付け壁部２５ｃに亘って形成してある。見込み壁部２５ａに形成されている係合溝部２９の溝底には、棚板押え具１７を係止する係止孔３１が見込み方向に間隔をあけて形成されている。
見込み壁部２５ａには係合部２９と棚板載置面２４との間に棚板１３の見込み面１３ｃに向けて突設した突部２８が形成されている。また、見込み壁部２５ａに形成した突部２８間には、壁に固定するねじ３０（図５参照）の挿通孔３２が見込み方向に間隔をあけて複数形成されている。
棚受け具１５の本体部２１において、棚板載置面２４の下部には、補強金具２３の水平部２３ａを収納する収納溝３３が本体部２１の見込み方向略全体に亘って形成されている。この収納溝３３は本体部の裏側に開口している。
図２に示すように、本体部２１の裏面には、補強金具２３の垂直部２３ｂを配置する凹み３４が形成されている。
【００２４】
補強金具２３は、図１に示すように、水平部２３ａと垂直部２３ｂとにより断面略Ｌ字形状を成しており、垂直部２３ｂには、棚板受け部の本体のねじ挿通孔３２と対応する位置に長孔状のねじ挿通孔３５が形成されている。尚、補強金具２３には、耐水性や防錆を考慮してステンレス製としてあるが、水分の少ない場所で使用する場合には安価なオーステナイト系の鋼板を使用しても良い。
【００２５】
棚板押え具１７は、図１及び図４に示すように、棚板端部２７の上方に位置して棚板受け具の係合部２９に係合するものである。棚板押え具１７は係合部２９に係合する被係合部３７と取手３９が設けてあり、被係合部３７は棚受け具１５の見込み壁部２５ａ、室内側見付け壁部２５ｂ及び室外側見付け壁部２５ｃに対向する三辺の縁であり、取手３９は残りの辺に沿って上方に突設してある。
棚板押え具１７の挿入側（棚板受け具の見込み壁２５ａ側）端には、係止突起４５が突設されており、棚板押え具１７の係止孔３１に係止するようになっている。係止突起４５は挿入側先端ほど厚みを薄くなるようにテーパ状になっている。
棚板押え具１７の見込み方向両端部には両端４１、４１を切除可能に設けた切除案内部４３が設けてあり、棚板１３として落下防止付き棚板１３ａを用いる場合には、切除案内部４３から見込み方向端部を折り取ることにより見込み寸法を短できるようになっている。切除案内部４３は、棚板押え具１７の下面に見付け方向に形成した溝である。
棚板押え具１７の下面には見付け方向に長い複数の突条４６が形成してあり、棚板１３の上面に当接したときに図３（ｆ）に示すように隙間Ｓ１を形成するようになっている。  取手３９は見込み方向に長く設けてあり、その両側端は傾斜面にしてあり、角を設けないことで手に持つときの引っ掛かりを防止している。
【００２６】
次に、本実施の形態にかかる棚１の第１使用例について、施工及び作用効果について説明する。棚１を窓３に取付けるときには、予め、棚板受け具１５の本体部２１に補助部材２３を取付けておく。補助部材２３は、本体２３の下部にある収納溝２３に補助部材２３の水平部２３ａを挿入し、垂直部２３ｂを本体２３の裏面に形成してある凹み３４に当てて取り付ける。
そして、図５に示すように、左右の棚板受け具１５を窓３の額縁５の内周側面５ａに配置し、窓３の内周側からねじ３０を棚板受け具本体２１のねじ挿入孔２３と補助部材２３の挿通孔３５に挿通して固定する。
次に、落下防止付き棚板１３ａの端部２７を棚板受け具１５の棚板載置面２４に上から載せる。
棚板押え具１７は、両端を切除案内部４３から折り取って、平板状棚板１３ｂを取付ける場合（後述する第２使用で説明する）よりも見込み寸法を短くした後、図１に二点鎖線で示すように、棚板押え具１７を、見付け方向に対して斜めにして棚板端部上面２７ａに配置し、図１に矢印Ｖで示すように回転させて端を立ち上がり部１６ａ、１６ｂの溝１８、１８内に配置した後、そのまま棚板受け具１５側へスライドさせて、棚板受け具１５の係合部（係合溝）２９に差し込む。そして、更に、棚板押え具１７を棚板受け具１５に向けて押し込むことにより、見込み壁部２５の係止孔３１に係止突起４５を係止する。係止突起４５は挿入側先端ほど厚みを薄くなるようにテーパを付けてあり、係止孔３１の上下の縁を徐々に広げた後、縁が戻ることによりクリック感を持ってカチッと止めることができる。
棚板１３として落下防止付き棚板１３ａを用いた使用例では、棚板押え具１７はその室内側と室外側の端は落下防止付き棚板１３ａの立ち上がり部１６ａ、１６ｂの各溝１８に係合し、棚板受け具１５側の先端は棚板受け具１５の見込み壁２５ａに位置する係合部２９に係合する。
落下防止付き棚板１３ａの取り外しは、棚板押え具１７の取手３９を持って、取り付けるときとは逆に、棚板の見付け方向中央側に向けて引き抜き、棚板１３ａをそのまま上に上げることにより、取り外すことができる。
【００２７】
落下防止付き棚板１３ａを取付けて棚１を使用しているときには、棚板押え具１７は、棚板端部２７の上方に位置して棚板１３ａが上方へ移動することを阻止すると共に、棚板受け具１５の壁部２５において、室内側見付け壁部２５ｂは棚板端部２７の室内側見付け面と対向し、室外側見付け壁部２５ｃが室外側見付け面とに対向することにより棚板１３ａの見込み方向への移動を阻止し、見込み壁部２５ａが棚板端部２７の見込み面１３ｃに対向して棚板１３ａの見付け方向の移動を阻止する。したがって、棚１を窓３の室内側に取付けた場合でも、例えば、窓３の開閉ハンドル７を操作するときに腕や体が棚板に強く当たったとしても、見込み方向、見付け方向及び上下方向の３方向に棚板１３ａが移動しないように、強固に取付けできる。
【００２８】
落下防止付き棚板１３ａの取り外しは、棚板押え具１７を落下防止付き棚板１３ａの見付け方向中央側に向けてスライドして棚板受け具１５の係合部２９から外すことにより、棚板１３ａを棚板受け具１５から持ち上げて外すことができ、棚板１３ａの取付けは、棚板１３ａを棚板受け具１５の棚板載置面２４に載置して棚板押え具１７を係合部２９に係合するだけであるから、棚板１３ａの取り外し及び取り付けが容易である。
棚板１３ａの取り付け及び取り外しが容易であるから、棚板１３ａが汚れたとき等に棚板１３ａを随時外して洗うことができる。特に、窓の額縁５に棚１が取り付けられるので、窓の掃除や網戸のメンテナンス等で棚板１３ａを取り外す機会が多いが、随時棚板１３ａを容易に取り外すことができる。
棚板受け具１５の壁部２５は、見込み壁部２５ａ、室内側見付け壁部２５ｂ及び室外側見付け壁部２５ｃを一体にして、棚板端部の見込み面、室内側見付け面及び室外側見付け面に対向しているので、特許文献１にあるような棚板１３ａの室内側見付け面及び室外側見付け面を覆うカバーを別に設ける必要がないので、部品点数を少なくできる。
棚板受け具１５の見込み壁部２５ａは、ねじ３０で額縁５に固定しているが、ねじ３０の頭は、棚板１３ａ見込み面１３ｃで隠しているので、外観が良い。
【００２９】
落下防止付き棚板１３ａは、室内側見付け面１３ｄと、室外側見付け面１３ｅとに立ち上がり部１６ａ、１６ｄを設けているので、棚板上面に載置した物が室内側や室外側へ滑り落ちたり、花瓶等からこぼれた水を堰き止めて棚板１３ａから室内側や室外側へ流れ落ちるのを防止できる。
【００３０】
棚板押え具１７は、棚板押え具１７の見込み方向両端部には両端４１、４１を切除可能に設けた切除案内部４３が設けてあり、棚板１３として落下防止付き棚板１３ａを用いる場合には、切除案内部４３から見込み方向端部を折り取ることにより見込み寸法を短できるようになっているので、平板状棚板１３ｂよりも立ち上がり部１６ａ、１６ｂ間の見込み寸法が小さい落下防止付き棚板１３ａを棚板として用いる場合に、棚板押え具１７の見込み寸法を簡易な構成で容易に短くできると共に立ち上がり部１６ａ、１６ｂが邪魔にならずに同じ棚板押え具１７を用いて取付けできる。
【００３１】
落下防止付き棚板１３ａは、室内側立ち上がり部１６ａと室外側立ち上がり部１６ｂとの各々に、互いに対向する面に溝１８が形成してあり、棚板押え具１７は棚板受け具１５の係合部２９に係合すると共に見込み方向両端を各々立ち上がり部の溝１８にも係合しているので、落下防止付き棚板１３ａを更に強固に固定できる。
【００３２】
図３（ｆ）に示すように、棚板押え具１７と棚板上面との間Ｓ１、棚板受け具１５と棚板見込み面１３ｃとの間Ｓ２及び棚板受け具１５の載置面２４と棚板底面との間Ｓ３に導水用隙間を有し、棚板１３ａの上面の水が棚板受け具の下に落下するようにしてあるので、例えば、花瓶から水がこぼれたり、簡易植物に水を差すときに棚板上にこぼれた水を棚板受け具から排水でき、こぼれた水が棚板上に溜まるのを防止できる。また、棚板１３ａに残った水は、棚板１３ａを棚板受け具１５に取付けたまま、布巾等で一拭きできる。
更に、落下防止付き棚板１３ａの上面には、見付け方向の複数の突条２０を設けているので、棚板の上面に残っている水の表面張力を切断して分散することができるから、棚板の乾燥を促進することができる。
棚板受け具１５において、棚板載置面２４の下部には、補強金具２３の水平部２３ａを収納する収納溝３３が本体部２１の見込み付け方向略全体に亘って形成されており、収納溝に補強金具２３の水平分２３ａが挿入されるので、棚板受け具の本体部２１の強度を高めることができる。
落下防止付き棚板１３ａの下面には、見付け方向に補強用ホロー部１９を設けているので、棚板１３ａのねじれ強度を高めることができる。
補助部材２３は水平部２３ａを本体部２１の底部の略全体に亘って配置されているのでは本体部の強度を高めることができる。また、補助部材２３の水平部２３ａは本体部２１の収納溝３３内に収納されており、垂直部２３ｂは本体部２１の裏面に当てているから、補助部材２３が室内側に露出しないので意匠性が良い。
棚板押え具１７は棚板受け具１５の見込み壁部２５に形成した係止孔３１に係止突起４５を係止しているので、棚板押え具１７の脱落を防止できると共に係止突起４５が露出しないので意匠性が良い。
棚板受け具１５及び棚板押え具１７は見込み方向の中央位置を基準にして前後対象な形状としているので、左右を兼用して用いることができる。
【００３３】
以下に本実施の形態にかかる棚の第２使用例を説明するが、以下に説明する第２使用例では、上述の第１使用例と主に異なる点を説明する。
図８〜図１０に第２使用例を示す。この第２使用例は、本実施の形態にかかる棚１を上げ下げ窓３の額縁５の内周面５ａに取付けたものであり、更に、棚板１３としてガラス製の平板状棚板１３ｂを用いたことが、第１使用例と異なっている。棚板受け具１５、棚板押え具１７は第１実施の形態と同じものを用いているが、この第２使用例では、棚板押え具１７は、両端４１、４１を折り取らないでそのまま用いている。
【００３４】
この第２使用例によれば、平板状棚板１３ｂの上面に棚板押え具１７の下面が当接しているが、第１使用例で説明したように、棚板押え具１７の下面には見付け方向に長い複数の突条４６が形成してあり、平板状棚板１３の上面に当接しても図１１（ｂ）に示すように、平板状棚板１３ｂの上面と棚板押え具１７の下面との間に隙間Ｓ１を形成するので、平板状棚板１３ｂの上面と棚板押え具１７の下面との間に導水通路を確保することができる。また、棚板受け具と棚板見込み端面との間の隙間Ｓ２と、棚板受け具と棚板側面との間の隙間Ｓ４（図８参照）により導水用隙間を有し、棚板上面の水が棚板受け具１５の下に落下するようになっている。
この第２使用例では、棚１の取付け位置を室内側障５１の上端５１ａよりも上で取付けているので、室内側障子５１の取手５３を持ちあげて窓を開くときに、棚板１３ｂが邪魔にならないようにしている。
また、第２使用例では、平板状棚板１３ｂとして、例えばガラス板を用いることにより採光を図ることができる。
平板状棚板１３ｂは落下防止付き棚板１３ａのような立ち上がり部１６ａ、１６ｂを有していないので、棚板面を容易に拭き取ることができる。
棚板押え具１７は、ガラス製の平板状棚板１３ｂを見込み方向の全巾に亘って押えているので、押え部分に局所的な荷重がかかって破壊するのを防止できる。また、棚板を複数の棚板押え具で押さえる場合には棚板押え具間にごみ等が溜まるおそれがあるが、棚板押え具１７は一つの押え具で見込み方向の全巾に亘って押えているので、ごみ等が溜まるのを防止できる。
この第２使用例では、その他の構成及び効果については、棚板１３として落下防止付き棚板１３ａを用いたことによる作用効果を除いて、上述の第１使用例と同様の作用効果を得ることができる。
【００３５】
第１実施の形態によれば、棚板１３として第２使用例のように平板状棚板１３ａを用いる場合と、第１使用例のように落下防止付き棚板１３ｂを用いる場合にように、異なる種類の棚板１３を任意に取付けできるので、ライフスタイル等に応じたコーディネイトの自由度が高い。
【００３６】
次に、本発明の他の実施の形態を説明するが、以下に説明する他の実施の形態において、上述した第１実施の形態と同一の作用効果を奏する部分には同一の符合を付することにより、その部分の詳細な説明を省略し、以下の説明では第１実施の形態と主に異なる点を説明する。
図１２〜図１５を参照して、本発明の第２実施の形態について説明する。この第２実施の形態では、樹脂材製の棚板受け具１５には棚板押え部１７ａが固定されており、棚板押え部１７ａが棚板受け具１５に一体となっている。
図１２及び図１４に示すように、第２実施の形態にかかる棚１において、棚板受け具１５において、壁部２５には棚板載置面２４と、見込み壁２５ａと、室内側見付け壁２５ｂ及び室外側見付け壁２５ｃが形成されており、室内側見付け壁２５ｂ及び室外側見付け壁２５ｃ面には係合部２９が形成されている。この係合部２９は凹部としてある。
また、図１４に示すように、見込み壁２５ａには棚板押え部１７ａの載置部５７が形成されており、この載置部５７の上面には、棚板押え部１７ａを係止する係止部５５が見込み方向に間隔をあけて２カ所設けてある。係止部５５は、断面略Ｌ字形状の凹みなっている。
図１５に示すように、棚板押え部１７ａは押え部本体１７ｂと係止部５５に係止する係止爪部１７ｃとが一体に設けてあり、押え部本体１７ｂは係止爪部１７ｃに対して連続して設けてあり且つ、図１３（ａ）に示すように、押え部本体１７ｂは係止爪部１７ｃに対して略直角な位置に回動自在になっている。
図１２及び図１３（ｂ）に示すように、押え部本体１７ｂの室外側見付け面及び室内側見付け面には各、弾性変形可能な係合突起５９が設けてあり、係合部２９に弾性変形により係合可能としてある。
棚板押え部１７ａは、係止爪部１７ｃを係止部５５に上方から嵌め入れて係止している。
そして、図１３（ａ）に示すように、棚板押え部１７ａの押え部本体１７ｂは、棚板端部の上方に位置する棚板押さえ位置（実線の位置）と、上方に略直角に回動して棚板端部の上方から退避した退避位置（二点鎖線の位置）とに回動自在になっている。
【００３７】
次に、第２実施の形態にかかる棚１の作用効果について説明する。
棚板１３を棚板受け具１５に取付けるときには、図１３（ａ）に二点鎖線で示すように、棚板押え部１７ａの押さえ部本体１７ｂを上方に開いた状態で棚板１３を棚板受け具１５の棚板載置面に載置した後、押え部本体１７ｂを回動して、実線で示すように水平になるように回動する。このとき、図１２及び図１３（ｂ）（ｃ）に示すように、押え部本体１７ｂの室内側見付け面及び室外側見付け面に設けてある係合突起５９が弾性変形して室内側見付け壁２５ｂ及び室外側見付け壁２５ｃ面の係合部２９に係合する。
次に、棚板１３を外すときには、押え部本体１７ｂを図１３（ａ）の実線で示す押え位置から、回動させるように押し上げることにより、係合突起５９が弾性変形して係合部２９との係合が外れ、二点鎖線で示す退避位置に位置し、棚板１３を外すことができる。
【００３８】
この第２実施の形態によれば、図１３（ａ）に示すように、棚板押え部１７ａが棚板押え位置（実線で示す位置）にあるときには、棚板端部の上方に位置して棚板１３が上方へ移動することを阻止すると共に、棚板受け具の壁部２５は、棚板端部の室内側見付け面と室外側見付け面とに対向することにより棚板１３の見込み方向への移動を阻止し、棚板端部の見込み面に対向することにより見付け方向の移動を阻止する。したがって、棚１を窓の室内側に取付けた場合でも、窓の開閉時に腕や体が棚板に強く当たったときに見込み方向、見付け方向及び上下方向の３方向に棚板１３（１３ｂ）が移動しないように、強固に取付けできる。
棚板１３の取り外しは、棚板受け具１５において棚板押え部１７ａを壁部２５の係合部２９から外して退避位置（図１３（ａ）の二点鎖線の位置）へ移動するだけで、棚板１３を棚板受け具１５から外すことができ、棚板１３の取付けは、棚板１３を棚板受け具１５の棚板載置面２４に載置して、棚板押え部１７ａを退避位置（図１３（ａ）の二点鎖線の位置）から棚板押え位置（図１３（ａ）の実線の位置）へ移動して壁部２５の係合部２９に係合するだけであるから、棚板１３の取り外し及び取り付けが容易にできる。
棚板１３の取り付け及び取り外しが容易であるから、棚板１３が汚れたとき等に棚板１３を外して洗うことができる。
棚板受け具１５の壁部２５は棚板端部の見込み面、室内側見付け面及び室外側見付け面に対向しているので、特許文献１にあるような室内側見付け面を覆うカバーを別に設ける必要がないので、部品点数を少なくできる。
更に、棚板受け具１５には棚板押え部１７ａが一体に設けてあるので、棚板１３の清掃時等に棚板１３を外したときに、棚板押え部１７ａが紛失したり置き忘れたりするのを防止できる。
【００３９】
本発明は、上述した実施の形態に限らず、本発明の要旨を逸脱しない範囲で種々変形可能である。
例えば、平板状棚板１３ｂとしてガラス製板を用いたが、これに限らず、樹脂材製や金属製の平板状棚板であっても良い。
棚１の取り付け場所は、窓の額縁に限らず、室内の壁面であっても良い。
第１実施の形態において、係合部２９は溝に限らず、棚板押え具１７の上方に位置する突起であっても良く、棚板押え具１７が上方に移動するのを制限するものであれば良い。
【符号の説明】
【００４０】
１      棚
１３    棚板
１３ａ  落下防止付き棚板
１３ｂ  平板状棚板
１３ｃ  見込み面
１３ｄ  室内側見付け面
１３ｅ  室外側見付け面
１５    棚板受け具
１６ａ、１６ｂ  立ち上がり部
１７    棚板押え具
１７ａ  棚板押え部
１８    溝
２４    棚板載置面
２５    壁部
２５ａ  見込み壁部
２５ｂ  室内側見付け壁部
２５ｃ  室外側見付け壁部
２３ｂ  上横カバー部材
２３ｃ  竪カバー部材
２７    棚板端部
２７    棚板上面
２９    係合部
４３    切除案内部
Ｓ１    棚板押え具と棚板上面との間の導水用隙間
Ｓ２    棚板受け具と棚板見込み端面との間の導水用隙間
Ｓ３    棚板受け具と棚板底面
Ｓ４    棚板受け具と棚板側面との間の隙間
【図１】
2011194211.tif 000003
【図２】
2011194211.tif 000004
【図３】
2011194211.tif 000005
【図４】
2011194211.tif 000006
【図５】
2011194211.tif 000007
【図６】
2011194211.tif 000008
【図７】
2011194211.tif 000009
【図８】
2011194211.tif 000010
【図９】
2011194211.tif 000011
【図１０】
2011194211.tif 000012
【図１１】
2011194211.tif 000013
【図１２】
2011194211.tif 000014
【図１３】
2011194211.tif 000015
【図１４】
2011194211.tif 000016
【図１５】
2011194211.tif 000017
【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
棚板と、壁に取付ける左右の棚板受け具と、棚板押え具とを備え、棚板受け具は、棚板の端部を載置する棚板載置面と、棚板端部の見込み面、室内側見付け面及び室外側見付け面に対向する壁部とを有し、壁部は棚板端部上面よりも上の位置に係合部を有し、棚板押え具は棚板端部の上方に位置して棚板受け具の係合部に係合していることを特徴とする棚。
【請求項２】
棚板と、壁に取付ける左右の棚板受け具と、棚板押え具とを備え、棚板は上面の室内側端と室外側端とに各々見付け方向に設けた立上がり部を有する落下防止付き棚板であり、棚板受け具は、棚板の端部を載置する棚板載置面と、棚板端部の見込み面、室内側見付け面及び室外側見付け面に対向する壁部とを有し、壁部は棚板端部上面よりも上の位置に係合部を有し、押え具は棚板端部の上方に位置して且つ棚板の立上がり部を避けて棚板受け具の係合部に係合していることを特徴とする棚。
【請求項３】
棚板には、上面が平坦な平板状棚板と、上面の室内側端と室外側端とに各々見付け方向に設けた立上がり部を有する落下防止付き棚板とがあり、平板状棚板と落下防止付き棚板とは任意に選択自在であり、落下防止付き棚板を取付ける場合には、平板状棚板を取付けるときよりも棚板押え具の見込み寸法を短くして棚板の立上がり部を避けて棚板押え具を棚板受け具の係合部に係合していることを特徴とする請求項１に記載の棚。
【請求項４】
棚板押え具は、見込み方向の端部を切除可能に設けた切除案内部を有し、棚板として落下防止付き棚板を用いる場合には、切除案内部から見込み方向端部を切除することにより見込み寸法を短くすることを特徴とする請求項２又は３に記載の棚。
【請求項５】
落下防止付き棚板は、室内側立ち上がり部と室外側立ち上がり部との各々に、互いに対向する面に溝を有し、棚板押え具は見込み方向両端を各々立ち上がり部の溝にも係合していることを特徴とする請求項２〜４のいずれか一項に記載の棚。
【請求項６】
棚板と、壁に取付ける左右の棚板受け具とを備え、棚板受け具は、棚板の端部を載置する棚板載置面と、棚板端部の見込み面、室内側見付け面及び室外側見付け面に対向する壁部と、棚板押え部とを有し、壁部は棚板押え部との係合部を有し、棚板押え部は棚板端部の上方に位置する棚板押え位置と、棚板押え位置から退避する退避位置との間を移動自在であり、棚板押え位置にあるときに壁部の係合部に係合していることを特徴とする棚。
【請求項７】
棚板受け具の棚板載置面と棚板底面の間又は棚板受け具の壁部と棚板見付け面の間と、棚板押え具又は棚板押え部と棚板上面の間と、棚板受け具の壁部と棚板見込み端面の間とに導水用隙間を有し、棚板上面の水が棚板受け具の下に落下するようにしてあることを特徴とする請求項１〜６のいずれか一項に記載の棚。